(57)【要約】【課題】携帯端末の外面を傷つけることなく容易に目的のカードを取り出すことができるようにする。【解決手段】プッシュ式カード読取装置１１が内部に内蔵されたカード収容凹部１４に対してＳＩＭカード１０を抜き差しする携帯端末用治具３０において、カード収容凹部１４に差し込まれてＳＩＭカード１０を押圧して取り出す押圧用突起３４を設ける。この押圧用突起３４に並ぶように、カード収容凹部１４の内面に当接して押圧用突起３４をガイドするガイド部３５を設ける。【選択図】図１
2014204336.tif 000002
【特許請求の範囲】
【請求項１】
プッシュ式カード読取装置が内部に内蔵されたカード収容凹部に対してカードを抜き差しする携帯端末用治具であって、
上記カード収容凹部に差し込まれてカードを押圧して該カードを取り出す押圧用突起と、
上記押圧用突起に並んで設けられ、上記カード収容凹部の内面に当接して上記押圧用突起をガイドするガイド部とを備えている
ことを特徴とする携帯端末用治具。
【請求項２】
請求項１に記載の携帯端末用治具において、
上記押圧用突起を誤った方向で差し込もうとしたときに上記カード収容凹部の周縁に当接して差し込みを規制する逆挿入防止用膨出部を備えている
ことを特徴とする携帯端末用治具。
【請求項３】
請求項１又は２に記載の携帯端末用治具において、
上記ガイド部と上記押圧用突起との間に設けられ、上記プッシュ式カード読取装置と並んで設けられた別のカード読取装置に挿入された第２のカードを避けるための回避用切欠を備えている
ことを特徴とする携帯端末用治具。
【発明の詳細な説明】
【技術分野】
【０００１】
本発明は、プッシュ式カード読取装置が内部に内蔵されたカード収容凹部に対してカードを抜き差しする携帯端末用治具に関するものである。
【背景技術】
【０００２】
従来より、ＳＩＭカード（Subscriber IdentityModule）のように、ＧＳＭやＷ−ＣＤＭＡなどの方式の携帯電話機で使われているＩＣカードが知られている。ＳＩＭカードは頻繁に抜き差しすることを想定したものではなく、電源が入っているときに抜き差しして内部のデータが消去されるのを防ぐために、抜き差しの前に確実にＳＩＭカードの電源を切るべく、携帯電話機の電源をオフにする必要がある。そのため、多くの携帯電話機では、電池を取り外さないとＳＩＭカードの抜き差しができないような構造になっている（例えば、特許文献１参照）。
【先行技術文献】
【特許文献】
【０００３】
【特許文献１】特開２００８−２８９０６３号公報
【発明の概要】
【発明が解決しようとする課題】
【０００４】
しかしながら、近年、スマートフォンに代表される携帯端末のように充電池の脱着を伴わない構造のものがあり、また、ＳＤカードなどのＳＩＭカードに比べて脱着の回数の多い記憶装置であれば、充電池を取り出さないと出し入れできないのでは不便である。このため、薄い携帯端末の側面に設けたカード収容凹部にカードを出し入れする必要が出てきた。
【０００５】
携帯端末の小型化及び薄型化に伴ってカード挿入口となるカード収容凹部が狭くなり、カードの出し入れが困難となってきている。このため、装着されたカードを押し出す押圧用突起と、この押圧用突起の両側に膨出する一対のガイド部とを有し、この一対のガイド部内面を携帯端末外面に押し当てながら押圧用突起を押し込んでカードを押圧してカードを取り出す治具がある。しかし、この治具では、携帯端末の外面を挟み込みながらガイド部を押し込むので、携帯端末の外面に傷がつくという問題がある。
【０００６】
携帯端末の外面に傷がつかないようにピンセット式の治具を用いようとすれば、カード収容凹部の開口が狭いので、つまみ出すのが非常に困難であるという問題がある。
【０００７】
本発明は、かかる点に鑑みてなされたものであり、その目的とするところは、携帯端末の外面を傷つけることなく容易に目的のカードを取り出すことができるようにすることにある。
【課題を解決するための手段】
【０００８】
上記の目的を達成するために、この発明では、携帯端末用治具の押圧用突起の近傍にカード収容凹部の内面に当接するガイド部を設けた。
【０００９】
具体的には、第１の発明では、プッシュ式カード読取装置が内部に内蔵されたカード収容凹部に対してカードを抜き差しする携帯端末用治具を対象とする。
【００１０】
この携帯端末用治具は、上記カード収容凹部に差し込まれてカードを押圧して該カードを取り出す押圧用突起と、
上記押圧用突起に並んで設けられ、上記カード収容凹部の内面に当接して上記押圧用突起をガイドするガイド部とを備えている。
【００１１】
上記の構成によると、ガイド部がカード収容凹部の内面に当接して押圧用突起をガイドするので、携帯端末のが表面を傷つけることなく、カードが確実かつ容易に取り出される。
【発明の効果】
【００１２】
以上説明したように、本発明によれば、カードを押圧して取り出す押圧用突起に並んでカード収容凹部の内面に当接して押圧用突起をガイドするガイド部を設けたことにより、携帯端末の外面を傷つけることなく容易に目的のカードを取り出すことができる。
【図面の簡単な説明】
【００１３】
【図１】本発明の実施形態に係る携帯端末用治具でＳＩＭカードを取り出す様子を拡大して示す断面図である。
【図２】携帯端末用治具でＳＩＭカードを取り出す様子を示す斜視図である。
【図３】図２の分解斜視図である。
【図４】携帯端末用治具でＳＩＭカードを取り出す様子を拡大して示す斜視図である。
【図５】携帯端末用治具を拡大して示す斜視図である。
【図６】その他の実施形態に係る図１相当図である。
【発明を実施するための形態】
【００１４】
以下、本発明の実施形態を図面に基づいて説明する。
【００１５】
図１は、本発明の実施形態に係る携帯端末用治具３０でＳＩＭカード１０を取り出す様子を拡大して示す断面図であり、図２は、携帯端末用治具３０でＳＩＭカード１０を取り出す様子を示す斜視図である。図３は、図２の分解斜視図であり、図４は、携帯端末用治具３０でＳＩＭカード１０を取り出す様子を拡大して示す斜視図である。この携帯端末用治具３０を用いる携帯端末としての携帯電話機１は、例えば、正面側に液晶表示部２が収容される正面側キャビネット３を備え、その背面側に背面側キャビネット４が結合され、その背面がリアカバー５で覆われている。リアカバー５の正面側にはメイン基板６が内蔵され、そのメイン基板６と液晶表示部２との間にバッテリー７が内蔵されている。このバッテリー７は、ユーザーが脱着しない構造となっている。
【００１６】
携帯電話機１の上側には、ＳＩＭカード１０を挿入するための第１プッシュ式カード読取装置１１が内蔵されている。この第１プッシュ式カード読取装置１１の正面側には、第２のカードとしてのマイクロＳＤカード１２を挿入するための第２プッシュ式カード読取装置１３が設けられている。これら第１プッシュ式カード読取装置１１と第２プッシュ式カード読取装置１３は、装着されたカードを奥まで押し込めばロックが解除されて取り出し可能となる。これらの装置のカード挿入口は、正面側キャビネット３に設けたカード収容凹部１４から露出するようになっている。マイクロＳＤカード１２は、ＳＩＭカード１０に比べて着脱回数が多いので、その先端は、ＳＩＭカード１０よりも前側に配置されている。しかもＳＩＭカード１０とマイクロＳＤカード１２とが近接して装着されるので、奥側に挿入されるＳＩＭカード１０が極めて取り出しにくくなっている。なお、図示しないが、通常時には、カード収容凹部１４は専用のカバーで覆われている。また、ＳＩＭカード１０の取り出し時には、電源が切れるように別途安全装置が設けられているとよい。
【００１７】
図５は、携帯端末用治具３０を拡大して示す斜視図である。この携帯端末用治具３０は、樹脂成形品、金属成形品等で形成され、中央に例えば円形の貫通孔３１が形成され、中央の矩形状本体３２と、この矩形状本体３２の３つの角部からそれぞれ飛び出した３本の棒状突起部３３とを備えている。残りの角部には、カード収容凹部１４に差し込まれてＳＩＭカード１０を押圧してＳＩＭカード１０を取り出す押圧用突起３４が設けられている。
【００１８】
押圧用突起３４に並んで棒状のガイド部３５が平行に延びている。このガイド部３５は、カード収容凹部１４の内面に当接して押圧用突起３４をガイドする役割を果たす。ガイド部３５は、押圧用突起３４よりも若干短くて太くなっている。
【００１９】
そして、ガイド部３５と押圧用突起３４との間には、第２プッシュ式カード読取装置１３に挿入されたマイクロＳＤカード１２を避けるための回避用切欠３６が設けられている。回避用切欠３６の奥行きは、ＳＩＭカード１０を最も押し込んでもマイクロＳＤカード１２に当接しないように設定されている。
【００２０】
また、押圧用突起３４のガイド部３５と反対側には、押圧用突起３４の延びる方向に延びる底辺３７ａと、この底辺３７ａに垂直な当接辺３７ｂとを備えた逆挿入防止用膨出部３７が設けられている。この逆挿入防止用膨出部３７は、押圧用突起３４を誤った方向、すなわち上下逆に差し込もうとしたときにカード収容凹部１４の周縁に当接して差し込みを規制する役割を果たす。
【００２１】
このように構成したので、図１及び図４に示すように、ＳＩＭカード１０を取り出す場合には、携帯端末用治具３０を手に持ち、携帯電話機１の側面に水平に押圧用突起３４をカード収容凹部１４に差し込んで行く。
【００２２】
ここで、携帯端末用治具３０を図１とは上下逆に差し込んだ場合には、逆挿入防止用膨出部３７の当接辺３７ｂが正面側キャビネット３におけるカード収容凹部１４の周縁に当接するので、押圧用突起３４を差し込むことができない。
【００２３】
一方、図１のように正しい方向で差し込むと、ガイド部３５がカード収容凹部１４の内面に当接してガイドされながら押圧用突起３４がカード収容凹部１４に滑らかに挿入され、先端がＳＩＭカード１０の縁に当たる。
【００２４】
そしてさらに押し込むと、回避用切欠３６が形成されているので、マイクロＳＤカード１２を押すことなく、ＳＩＭカード１０がさらに押し込まれてカチッという感触と共にＳＩＭカード１０のロックが外れてＳＩＭカード１０が押し出される。
【００２５】
このように、ガイド部３５は、携帯電話機１の外面ではなく、カード収容凹部１４の内面に当接しながら押圧用突起３４をガイドするので、携帯電話機１の外観に傷がつくことはない。
【００２６】
また、複数のカード読取装置１１，１３が並んで設けられている場合であっても、回避用切欠３６がマイクロＳＤカード１２を避けるので、誤って第２のカードを押圧することなく容易に目的のＳＩＭカード１０のみを押圧して取り出すことができる。
【００２７】
また、逆挿入防止用膨出部３７がカード収容凹部１４に当接することで逆向きに携帯端末用治具３０の押圧用突起３４を差し込むことができない。このため、正しい方向で携帯端末用治具３０を挿入することができ、目的のＳＩＭカード１０のみを確実に取り出すことができる。
【００２８】
したがって、本実施形態に係る携帯端末用治具３０によると、ＳＩＭカード１０を押圧して取り出す押圧用突起３４に並んでカード収容凹部１４の内面に当接して押圧用突起３４をガイドするガイド部３５を設けたことにより、携帯電話機１の外面を傷つけることなく容易にＳＩＭカード１０を取り出すことができる。
【００２９】
（その他の実施形態）
本発明は、上記実施形態について、以下のような構成としてもよい。
【００３０】
図６は、その他の実施形態に係る図１相当図である。このように、携帯端末用治具１３０の形状を簡略化したものとしてもよい。具体的には、この携帯端末用治具１３０では、１本の大きな棒状突起部１３３と、それに垂直な１本の小さな棒状突起部１３３のみを有し、矩形状本体１３２はかなり小さくなり、逆挿入防止用膨出部３７を兼ねている。このように押圧用突起３４、ガイド部３５、回避用切欠３６及び逆挿入防止用膨出部３７を備えているので、上記実施形態と同様の作用効果が得られる。
【００３１】
また、上記実施形態では、ＳＩＭカード１０を取り出すための携帯端末用治具３０について説明したが、取り出し対象のカードや、第２のカードの種類は限定されず、携帯端末に使用されるプッシュ式カード読取装置用のカードであれば何でもよい。
【００３２】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３３】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３４】
１      携帯電話機（携帯電話機）
２      液晶表示部
３      正面側キャビネット
４      背面側キャビネット
５      リアカバー
６      メイン基板
７      バッテリー
１０      ＳＩＭカード
１１      第１プッシュ式カード読取装置
１２      マイクロＳＤカード
１３      第２プッシュ式カード読取装置
１４      カード収容凹部
３０      携帯端末用治具
３１      貫通孔
３２      矩形状本体
３３      棒状突起部
３４      押圧用突起
３５      ガイド部
３６      回避用切欠
３７      逆挿入防止用膨出部
３７ａ    底辺
３７ｂ    当接辺
１３０      携帯端末用治具
１３２      矩形状本体
１３３      棒状突起部
【図１】
2014204336.tif 000003
【図２】
2014204336.tif 000004
【図３】
2014204336.tif 000005
【図４】
2014204336.tif 000006
【図５】
2014204336.tif 000007
【図６】
2014204336.tif 000008